(57)【要約】  本発明は、三次元の再構築されるボリュームにおけるリング形状のアーチファクトを訂正するように構成されるアーチファクト低減手段（２０）を有する撮像システム（１５）に関する。このアーチファクト低減手段（２０）は、第１の訂正画像を用いてＸ線撮像装置（１０）の画像増倍管の出力スクリーンに構築されるノイズを削除するように構成される第１段階の訂正手段（２１）を有する。好ましくは、第１の訂正画像（２１ａ）は事前に計算され、コンピュータの適切な記憶ユニット（図示せず）に記憶されている。患者の生画像は最初に第１の訂正画像（２１ａ）を用いて処理される。これにより得られた利得訂正された画像は、画像変形訂正手段（２３）に送られ、ここには適切なアンワーピング関数（２３ａ）が事前に記憶されている。結果生じる利得訂正アンワーピング画像は次いで、第２段階の利得訂正手段（２５）に利用可能であり、第２の訂正画像（２５ａ）は、リング形状のアーチファクトが殆ど低減した画像の最後の組となる画像に適用される。この最後の組の画像は、この最後の組の画像をさらに処理するために構成される画像再構築手段（２６）に利用可能であり、その結果は、例えば検査目的とするにコンピュータモニタ（３０）上に視覚化される。本発明はさらに、Ｘ線撮像装置、三次元の再構築されるボリュームにおけるアーチファクトを低減させる方法及びコンピュータプログラムにも関する。
2007518442.tif 000002
【特許請求の範囲】
【請求項１】
複数の平面画像を有する三次元の再構築されるボリュームにおけるアーチファクトを低減させるように構成される撮像システムにおいて、
−前記平面画像に構築されるノイズの第１の発生源を削除するための第１の訂正画像と、前記平面画像に構築されるノイズの第２の発生源を削除するための第２の訂正画像とを用いて、前記平面画像を続いて処理するように構成される画像アーチファクト低減手段
を有する撮像システム。
【請求項２】
請求項１に記載の撮像システムにおいて、
−前記第１の訂正画像は第１の利得訂正データを有し、及び
−前記第２の訂正画像は第２の利得訂正データを有する
撮像システム。
【請求項３】
請求項２に記載の撮像システムにおいて、
−前記第１の利得訂正データは、利得較正スキャンの複数の生画像の平均化の結果を有し、及び
−前記第２の利得訂正データは、前記複数の生画像が前記第１の訂正画像及びアンワーピング関数を用いて処理された後、前記利得較正スキャンの複数の生画像の平均化の結果を有する
撮像システム。
【請求項４】
請求項１、２又は３の何れか一項に記載の撮像システムにおいて、前記画像は画像増倍管を用いて得られ、前記ノイズの第１の発生源は、前記画像増倍管の出力スクリーンのノイズを有し、前記ノイズの第２の発生源は、前記画像倍増管の入力スクリーンのノイズを有する撮像システム。
【請求項５】
請求項４に記載の撮像システムにおいて、前記第１の訂正画像は、回転スキャン中に投影手段上にある前記画像増倍管の前記出力スクリーンの投影の移動を訂正するように構成されるドリフト訂正データを有する撮像システム。
【請求項６】
請求項１乃至５の何れか一項に記載の撮像システムを有するＸ線検査装置。
【請求項７】
複数の平面画像を有する三次元の再構築されるボリュームにおけるアーチファクトを低減させる方法において、
−前記画像に構築されるノイズの第１の発生源を削除するために、第１の訂正画像を用いて前記画像を処理し、第１段階の訂正された画像を生じさせるステップ、及び
−前記画像に構築されるノイズの第２の発生源を削除するために、第２の訂正画像を用いて前記第１段階の訂正された画像を処理するステップ
を有する方法。
【請求項８】
−前記第１の訂正画像は第１の利得訂正データを有し、及び
−前記第２の訂正画像は第２の利得訂正データを有する
請求項７に記載の方法において、
前記第１の訂正画像は利得較正スキャンの生画像に対し構築され、前記第２の訂正画像は、前記生画像が第１の訂正画像及びアンワーピング関数を用いて処理された後、前記利得較正スキャンの前記生画像に対し構築される方法。
【請求項９】
−第１の利得訂正データは、前記利得訂正スキャンの複数の生画像を平均化の結果を有し、及び
−前記第２の利得訂正データは、前記複数の生画像が前記第１の訂正画像及びアンワーピング関数を用いて処理された後、前記訂正オブジェクトの複数の生画像の平均化の結果を有する
請求項８に記載の方法。
【請求項１０】
請求項７、８又は９に記載の方法のステップを実行するように構成されるコンピュータプログラム。
【発明の詳細な説明】
【技術分野】
【０００１】
本発明は、複数の平面画像を有する三次元の再構築されるボリュームにおけるアーチファクトを低減させるように構成される撮像システムに関する。
【０００２】
本発明はさらに、三次元の再構築されるボリュームにおけるアーチファクトを低減させるように構成される撮像システムを有するＸ線撮像装置にも関する。
【０００３】
本発明はさらに、複数の平面画像を有する三次元の再構築されるボリュームにおけるアーチファクトを低減させる方法にも関する。
【０００４】
本発明はさらに、上記方法のステップを実行するように構成されるコンピュータプログラムにも関する。
【背景技術】
【０００５】
画像内のアーチファクトを低減させるように構成される撮像システムの実施例は、欧州特許公報番号EP 0 562 657 A2から既知である。この既知の撮像システムはＸ線診断の分野において使用され、ここで検査すべき患者は、Ｘ線源と、患者を透過したＸ線を殆ど吸収するように構成されるＸ線検出器との間に置かれる。Ｘ線検出器は、測定された信号を増幅するように構成される画像増倍管を有する。角のある投影(angulated projection)を得るために、Ｘ線源及びＸ線検出器は画像増倍管と共に回転軸を中心に回転する。この既知の撮像システムは、けられ(vignetting)として知られる画像の縁に起こる画像アーチファクトを低減させるように構成され、前記アーチファクトは取得システムにおけるピクセルに対する利得係数の局部的な変化により生じている。この既知の撮像システムにおいて、けられを補償することは、けられが起きた画像のピクセル値に較正測定から生じる利得特性を乗算することにより達成され、乱れていない画像を得る。この利得特性は、既知の均一な輝度分布を持つ較正オブジェクトの画像から得られる。
【発明の開示】
【発明が解決しようとする課題】
【０００６】
既知の撮像システムの欠点は、残留する画像アーチファクトがけられを訂正した画像に残ってしまうことである。特に、三次元データから再構築されたスライスにリングが現れ、これらスライスは三次元の再構築を目的とするために、データ取得の間に画像増倍管が回転する回転軸に空間的に垂直に配向される。このリング形状のアーチファクトは、Ｘ線装置の撮像システムの画像増倍管の局部的な反応の違いにより生じる。
【課題を解決するための手段】
【０００７】
本発明の目的は、リング形状のアーチファクトが殆ど低減した撮像システムを提供することである。
【０００８】
本発明による撮像システムは、前記平面画像に構築されるノイズの第１の発生源(source)を削除する第１の訂正画像と、前記平面画像に構築されるノイズの第２の発生源を削除する第２の訂正画像とを用いて、前記平面画像を続いて処理するように構成される画像アーチファクト低減手段を有する。
【０００９】
本発明の技術的手法は、画像増倍管の入力及び出力スクリーンにおける不均一性によってこれら画像増倍管の利得の差が主に引き起こされているという洞察に基づいている。画像増倍管は、糸巻形歪み(pincushion distortion)及び外部磁場による画像の変形を欠点として持ち、この変形は、画像増倍管の配向に依存している。この変形はワーピング(warping)と呼ばれる。ワーピングした画像は、このワーピングを取り除くために、訂正されることができ、この訂正は、それ自体は既知であるアンワーピング関数(unwarping function)の利用を介して実行され、このことはアンワーピングと呼ばれる。三次元のスキャン中、例えば画像増倍管のＣＣＤカメラのような投影スクリーン上の要素と、関連するＸ線の経路との間の関係は、配向に依存している画像の変形により変化する。画像増倍管の入力及び出力スクリーンの両方における局部的な利得の差により引き起こされる画像アーチファクトを殆ど低減させるために、第１の訂正画像及び第２の訂正画像を用いた二段階の較正が行われ、これら画像は、画像増倍管の入力スクリーン及び出力スクリーンに構築されるノイズを無関係に考慮する。
【００１０】
本発明による撮像システムの実施例において、第１の訂正画像は、第１の利得訂正データを有し、第２の訂正画像は第２の利得訂正データを有する。
【００１１】
画像増倍管の入力スクリーン及び出力スクリーンに構築されるノイズが個々のスクリーンの局部的な利得の差に反映されるので、それぞれの前記訂正画像を構成する利得訂正データを使用することが利点である。第１の訂正画像は、画像増倍管の出力スクリーンに構築されるノイズを考慮し、第２の訂正画像は、画像増倍管の入力スクリーンに構築されるノイズを考慮する。対応する適切な訂正画像と共に構築されるノイズの発生源は、図３を参照して詳細に説明される。
【００１２】
撮像システムの他の実施例において、第１の利得訂正データは、利得較正スキャンの複数の生画像の平均化の結果を有し、第２の利得訂正データは、前記生画像が第１の訂正画像及びアンワーピング関数を用いて処理された後、前記利得訂正スキャンの複数の生画像の平均化の結果を有する。利得較正スキャンの生画像から第１の利得訂正データを構築することが利点であることが分かり、これは例えば患者データのスキャンを取得するより前に取得される。第１の利得訂正は、利得較正スキャンの生画像に施され、１組の利得較正スキャンの利得訂正画像を生じさせる。ここで、入力スクリーンに構築されるノイズの高周波部分が取り除かれる。これら画像は次いで、当該画像が平均化した後の適切なアンワーピング関数を用いて処理され、画像増倍管の入力スクリーンに構築されるノイズに対応する第２の利得訂正データを生じさせる。本実施例は、画像増倍管の入力及び出力スクリーン夫々に構築されるノイズを訂正する二段階の利得訂正を実行するための簡単な可能性を表すので有利である。
【００１３】
本発明による、複数の平面画像を有する三次元の再構成されるボリュームにおけるアーチファクトを低減させる方法は、
−前記平面画像に構築されるノイズの第１の発生源を削除するために、第１の訂正画像を用いて前記画像を処理し、第１段階の訂正画像を生じさせるステップ、及び
−前記平面画像に構築されるノイズの第２の発生源を削除するために、第２の訂正画像を用いて前記第１段階の訂正画像を処理するステップ
を有する。
【発明を実施するための最良の形態】
【００１４】
本発明のこれら及び他の態様は図を参照して述べられる。
【００１５】
図１ａは、従来知られるようなＸ線撮像装置の実施例の概略図を示している。Ｘ線装置１はＣアーム１ｂを有し、その上にＸ線源１ｃ及びＸ線撮像システム１ｄが搭載されている。このＣアーム１ｂは、スタンド１ａ上に回転可能であるように配される。三次元スキャンを取得する間、Ｃアーム１ｂはその回転軸１ｅを中心に回転する。Ｘ線源１ｃから発するＸ線は、Ｘ線源１とＸ線検出器１ｄとの間にある撮像ボリューム内に置かれる患者（図示せず）により遮断される。Ｘ線源から発するＸ線１ｆは、次いで患者を透過し、Ｘ線撮像システム１ｄにより吸収される。このことは図１ｂを参照して詳細に説明される。
【００１６】
図１ｂは、従来知られるＸ線システムに用いられるように、画像増倍管からなる撮像システム１５の実施例を概略的に示す。医療用の診断を目的として、従来はＸ線を用いて問題になっている患者を検査する。この目的のために、患者３はＸ線装置１の検査空間（図示せず）に置かれ、異なる投影角を用いた１組の画像が三次元の再構築を目的として取得される。透過したＸ線２は、画像増倍管４の入力スクリーンを遮断する。電子信号は、画像増倍管において増幅され、この画像増倍管の出力スクリーン６において光学部品７に利用可能になる。光ビームは、例えばＣＣＤカメラ又はＣＭＯＳ検出器のような適切な投影手段８の入力部に収束される。ＣＣＤカメラ８からの出力信号は、出力部９においてさらに処理するのに利用可能になる。このＸ線システムには、幾つかのノイズの発生源が存在する。最初に、Ｘ線ビーム２はＸ線ノイズ２ａを含み、このノイズはＸ線源の量子ノイズ及び散乱放射の寄与により主に引き起こされる。画像増倍管は、２つの主なノイズの発生源、つまり画像増倍管の入力スクリーンに構築されるノイズ４ａ及び出力スクリーンに構築されるノイズ６ａを持つ。光学部品７は、その構築されるノイズ及びショットノイズ７ａによる全てのノイズに寄与している。加えて、ＣＣＤカメラ８は、読み取りノイズ成分及び取得ノイズ成分を持つ。利得及びオフセットに対しＣＣＤカメラを較正することが一般的な実施であり、これにより出力部９における出力信号に残っている主なノイズ成分は、画像増倍管の入力及び出力スクリーンに構築されるノイズを有する。三次元の再構築されるボリュームにおけるアーチファクトに対するこれらノイズの発生源の寄与は、図２ａ及び２ｂを参照して詳細に示される。
【００１７】
図２ａは、図１ａを参照して述べたように、画像増倍管の回転軸１ｅに垂直な平面に対応するスライスＩ１に対する、それ自体は既知である利得訂正の後の画像アーチファクトを示す。最も一般的には、画像増倍管の出力スクリーンの利得変化を補償するために、第１の訂正画像が１組の生画像を平均化することを介して構築され、この画像は好ましくは、均一な試験的ファントムを用いて取得される。代わりに、インエア(in-air)スキャンがこの目的のために取得されることができる。画像訂正に適切な方法の一例は、
【数１】
2007518442.tif 000003
により与えられ、Ｉｍｇａｉｎ，ｓｉｎｇｌｅ  ｓｔａｇｅ  ｗｉｔｈ  ｒａｗ  ｉｍａｇｅは、例えば患者のような調査中のオブジェクトの結果生じる利得訂正された画像であり、Ｉｍｒａｗは、Ｍ個（１≦ｎ≦Ｍ）の画像からなる三次元スキャンの、再構築されるべきオブジェクトの本来の未処理の生画像であり、ｇａｉｎｒａｗ（ｉ，ｊ）は、利得訂正画像に対するピクセル（ｉ，ｊ）（１≦ｉ，ｊ≦Ｎ）に対するピクセル値である。
【００１８】
図２ａから、画像アーチファクトを低減させるための単一の利得訂正を用いることが、残留するリングＲ１をもたらし、これらはスライスＩ１に見ることができる。このリング形状のアーチファクトの強度が本来の未処理画像に対し低減しているという事実にもかかわらず、結果生じる利得訂正された画像に依然として可視である。
【００１９】
この単一の利得訂正の他の既知のアプローチは、アンワーピングされた画像のレベルで利得訂正することである。図２ｂは、図１ａを参照して述べたように、画像増倍管の回転軸１ｅに垂直な平面に対応するスライスＩ２において、従来知られる第１利得訂正後の画像アーチファクトを示す。この利得訂正は、単一の利得画像を用いて実行され、この利得画像は、アンワーピングされた利得較正スキャンの生画像を平均化することを介して生成される。このアンワーピング動作は、画像の糸巻形歪み及び磁気歪みによる画像アーチファクトを削除することになる。このアンワーピング動作を実行するための適切な関数は、それ自体は従来知られている。アンワーピングされた画像の利得訂正は、
【数２】
2007518442.tif 000004
により与えられ、Ｉｍｇａｉｎ，ｓｉｎｇｌｅ  ｓｔａｇｅ  ｗｉｔｈ  ｕｎｗａｒｐｅｄ  ｉｍａｇｅｓは、利得訂正した画像のピクセル（ｉ，ｊ）の値であり、Ｉｍｕｎｗａｒｐｅｄ（ｉ，ｊ，ｎ）は、Ｍ個（１≦ｎ≦Ｍ）の画像からなる三次元スキャンのアンワーピング画像であり、ｇａｉｎｕｎｗａｒｐｅｄ（ｉ，ｊ）は、アンワーピングされた生画像に対し構築される利得画像である。
【００２０】
図２ｂから、アンワーピングされた画像に基づいて単一の利得訂正をした後、リング形状のアーチファクトＲ２が再構築されたスライスＩ２に残ることになる。
【００２１】
図３は、本発明による撮像システムを有するＸ線検査装置の実施例のブロック図を概略的に示す。このＸ線検査装置１０は、本発明による画像アーチファクト低減手段２０を備える撮像システム１５ａを有する。Ｘ線源（図示せず）から発するＸ線ビーム１２は調査中、最も一般的には患者であるオブジェクト１３を透過する。Ｘ線は患者により減衰し、この減衰した放射線１２は、画像増倍管の入力スクリーン１４により集められる。この画像増倍管の入力スクリーンに集められたＸ線画像は、この画像増倍管の出力スクリーン１６上において可視画像に変換される。光学装置１７を用いて、前記可視画像は、好ましくはＣＣＤカメラのような撮像手段１８に撮像され、これにより、可視画像は電気的なアナログビデオ信号１９に変換される。本発明によれば、このＸ線装置はアーチファクト低減手段２０を有し、この手段は、前記画像内の第１の再構築されるノイズを削除するための第１の関数と、前記画像内の第２の再構築されるノイズを削除するための第２の関数とを使用して、前記画像を引き続き処理するように構成される。
【００２２】
好ましくは、画像増倍管の出力スクリーンから発する前記構築されるノイズを考慮するために、第１の訂正画像は、三次元の利得訂正スキャン中に取得される１組の生画像を平均化することを介して構築される。例えば患者の三次元スキャンに対し正確な二段階の利得訂正を可能にするために、較正オブジェクト及び患者の三次元スキャンの形状は、略同じでなければならない。生画像に対し結果生じる第１の利得訂正データは、
【数３】
2007518442.tif 000005
により与えられ、ｇａｉｎｒａｗ（ｉ，ｊ，ｎ）は、三次元スキャン中に取得される利得較正スキャンの生の利得画像の級数であり、ｇａｉｎｒａｗ（ｉ，ｊ）は、ｉ×ｊ個のピクセルを有する１組のＮ個の利得較正の生画像に対し構築される第１の利得訂正データである。
【００２３】
これにより、この動作は１組の生画像の平均化を含む。生画像のピクセルは、画像の番号とは関係無く、ＣＣＤカメラの対応する素子に対し１対１の関係を持つ。これら素子は、画像増倍管の配向とは関係無く、画像増倍管の出力スクリーン上のスポットと一定の関係を持つ。しかしながら、糸巻形歪みのために、あるＣＣＤピクセルは、画像増倍管の入力スクリーン上のスポットと一定の関係を持たない。これにより、入力スクリーンの高周波の構築されるノイズは、利得ｇａｉｎｒａｗ（ｉ，ｊ）を構成する場合、平均化される。ｇａｉｎｒａｗ（ｉ，ｊ）が画像増倍管の出力スクリーンの利得効果を説明するので、入力スクリーンの影響は平均化される。
【００２４】
入力スクリーンに構築されるノイズの高周波部分を抑えるための他の方法は、画像増倍管を脱焦(defocus)することである。ＣＣＤカメラの出力スクリーンの投影は、三次元スキャンを取得している間、僅かに移動することが起こり、これはカメラアセンブリを変形させる慣性力及び重力により生じる。このような移動は、利得較正スキャン中にＣＣＤを用いて観測されるように、構築されるノイズのドリフトを分析することを介して較正されることができる。適切なドリフト較正の一例は、スキャンの画像１に対する、スキャンの画像ｎのｘピクセルシフト、ｙピクセルシフト及び回転によって、ＣＣＤカメラに出力スクリーンを投影する移動のパラメタ化を有する。このパラメタ化は、第１の利得訂正の構築中に考慮され、患者のスキャンの生画像に与えられる。
【００２５】
入力スクリーンに構築されるノイズを考慮するために、利得較正スキャンの１組のアンワーピングされた画像に対する第２の訂正画像が構築される。この対応する利得関数は、
【数４】
2007518442.tif 000006
により与えられ、ｇａｉｎｕｎｗａｒｐｅｄ（ｉ，ｊ，ｎ）は、三次元スキャン中に取得される利得較正スキャンの利得画像の級数であり、これら画像は第１の訂正画像ｇａｉｎｒａｗ（ｉ，ｊ）を用いて訂正され、次いでアンワーピングされる。
【００２６】
アンワーピングされた画像ピクセルは、ワープ較正に用いられる糸巻形グリッド上の位置に対し一定の関係を持ち、これはアンワーピングを目的として用いられる。これにより、アンワーピングされた画像ピクセルは、その配向とは関係無く、画像増倍管の入力スクリーン上のスポットに対し殆ど一定の関係を持つ。磁気画像変形により、あるアンワーピングされた画像ピクセルは、画像増倍管の出力スクリーン上のスポットと一定の関係を持たない。これにより、出力スクリーンに構築されるノイズは、ｇａｉｎｕｎｗａｒｐｅｄ（ｉ，ｊ）を構築する場合、平均化される。そして、ｇａｉｎｕｎｗａｒｐｅｄ（ｉ，ｊ）は、画像増倍管の出力スクリーンではなく、入力スクリーンの利得効果を説明する。ワーピングの効果は、画像増倍管の入力スクリーン及び出力スクリーンに構築されるノイズを分離するために用いられる。
【００２７】
例えば患者スキャンの画像の二段階の利得訂正を実行するために、上述したような第１の訂正画像ｇａｉｎｒａｗ（ｉ，ｊ，ｎ）及び第２の訂正画像ｇａｉｎｕｎｗａｒｐｅｄ（ｉ，ｊ，ｎ）が患者の三次元スキャンに用いられる。これは、図４を参照して詳細に説明される。この二段階の利得訂正を用いて訂正された結果生じる画像は、アーチファクト低減手段２０により、適切な視覚化手段、例えば検査目的とするコンピュータモニタ３０に利用可能にする。結果生じる復元画像Ｉ３の一例が図５に示される。図２ａ及び図２ｂに示される画像と比較する場合、リング形状のアーチファクトは、本発明による二段階の利得較正のために殆ど取り除かれていることが分かる。
【００２８】
本発明によるアーチファクト低減手段２０は好ましくは、第１の訂正画像を用いて出力スクリーンに構築されるノイズを削除するように構成される第１段階の訂正手段２１を有する。好ましくは、この第１の訂正画像２１ａは、事前に計算され、コンピュータの適切なメモリユニット（図示せず）に記憶される。患者の生画像はこの第１の訂正画像２１ａを用いて初めに処理される。これにより得られる利得訂正された画像は、画像変形訂正手段２３に送られ、ここには適切なアンワーピング関数２３ａが事前に記憶されている。結果生じる利得訂正アンワーピング手段は次いで、第２段階の利得訂正手段２５に利用可能であり、ここで第２の訂正画像２５ａは、リング形状のアーチファクトが殆ど低減した画像の最後の組となる画像に適用される。この画像の最後の組は、この画像の最後の組をさらに処理するために構成される画像再構築手段２６に利用可能であり、その結果は、例えば検査目的とするコンピュータモニタ３０上に視覚化される。
【００２９】
図４は、本発明によるコンピュータプログラムの動作のフローチャート４０を概略的に示す。二段階の較正ステップＣの前に、三次元利得較正スキャン４１及び三次元患者スキャン５１が取得される。この三次元利得較正スキャン４１は、上述した手順に従って、第１の訂正画像ｇａｉｎｒａｗ（ｉ，ｊ）４３及び第２の訂正画像ｇａｉｎｕｎｗａｒｐｅｄ（ｉ，ｊ）４５をそれぞれ得るために、準備ステップＧに用いられる。好ましくは、第１の訂正画像４３及び第２の訂正画像４５は、個々のルックアップテーブル５２、５４において事前に記憶され、それを実行する間、コンピュータプログラムによりアドレッシングされる。これにより、ステップ５３において、二段階の利得訂正アルゴリズムは、第１の訂正画像５２を用いることにより患者の生画像の利得訂正を実行し、以下の数式
【数５】
2007518442.tif 000007
に従って患者の利得訂正された画像を生じさせる。ここでＩｍｇａｉｎ，ｒａｗ（ｉ，ｊ，ｎ）は患者の利得訂正された画像であり、Ｉｍｒａｗ（ｉ，ｊ，ｎ）は患者の生画像であり、ｇａｉｎｒａｗ（ｉ，ｊ）は、利得較正スキャンの１組の生画像に対し構築される第１の訂正関数である。
【００３０】
その上、ルックアップテーブル５３ａに事前に記憶されたドリフト較正５３ｂを適用することにより、前記撮像手段の画像増倍管の出力スクリーンの投影のドリフトを訂正することが可能である。
【００３１】
続いて、利得訂正された画像Ｉｍｇａｉｎ，ｒａｗ（ｉ，ｊ，ｎ）はステップ５５において、画像変形訂正手段２３（図３参照）に記憶される、それ自体は従来知られる適切なアンワーピング関数２３ａを用いてアンワーピング動作を受け、較正オブジェクトＩｍｇａｉｎ，ｕｎｗａｒｐｅｄ（ｉ，ｊ，ｎ）のアンワーピングされた利得訂正画像を生じさせる。この段階において、画像増倍管の出力スクリーンに構築されるノイズは、患者の生画像から殆ど削除され、この画像は外部磁場により引き起こされる糸巻形歪みも訂正される。
【００３２】
最後に、ステップ５７において、利得訂正アンワーピング画像Ｉｍｇａｉｎ，ｕｎｗａｒｐｅｄ（ｉ，ｊ，ｎ）は、好ましくはルックアップテーブル５４に事前に記憶された第２の訂正画像ｇａｉｎｕｎｗａｒｐｅｄ（ｉ，ｊ）を用いて訂正され、これは、以下の数式
【数６】
2007518442.tif 000008
により与えられ、ここでＩｍｇａｉｎ，ｄｏｕｂｌｅ  ｓｔａｇｅ（ｉ，ｊ，ｎ）は、患者の二段階の利得訂正画像であり、Ｉｍｇａｉｎ，ｕｎｗａｒｐｅｄ（ｉ，ｊ，ｎ）は、患者のアンワーピング利得訂正画像であり、ｇａｉｎｕｎｗａｒｐｅｄ（ｉ，ｊ）は、利得較正スキャンの１組のアンワーピング利得訂正画像に対し構築される第２の訂正画像である。
【００３３】
結果生じる画像は、ステップ５９においてさらに処理するためのコンピュータプログラムにより利用可能であり、好ましくはその画像はコンピュータの適切なメモリユニットに記憶される。
【図面の簡単な説明】
【００３４】
【図１ａ】従来知られるようなＸ線撮像装置の概略図を示す。
【図１ｂ】従来知られるＸ線装置に用いられるような、画像増倍管の撮像システムの実施例の概略図を示す。
【図２ａ】従来知られるような第１の利得訂正後の図１ａのＸ線システムの回転軸に垂直なスライスにおける画像アーチファクトを示す。
【図２ｂ】従来知られるような第２の利得訂正後の図１ａのＸ線システムの回転軸に垂直なスライスにおける画像アーチファクトを示す。
【図３】本発明による撮像システムの実施例のブロック図を概略的に示す。
【図４】本発明によるコンピュータプログラムのフローチャートを概略的に示す。
【図５】本発明による、二段階の利得訂正後の図３のＸ線システムの回転軸に垂直なスライスにおける結果生じる画像を示す。
2007518442.tif 000009
2007518442.tif 000010
2007518442.tif 000011
2007518442.tif 000012
【図３】
2007518442.tif 000013
【図４】
2007518442.tif 000014
【図５】
2007518442.tif 000015
【国際調査報告】
2007518442.tif 000016
2007518442.tif 000017
2007518442.tif 000018